【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
データを記憶するメモリ手段を備え、前記メモリ手段に対して行われるアクセスを制御するメモリ制御装置であって、
前記メモリ手段の２次元的な領域に連続的に書き込みを行う第１アクセス手段と、
前記第１アクセス手段によって書き込まれた、前記メモリ手段の２次元的な領域を分割した分割領域から読み出しを行う第２アクセス手段と、
前記第１および第２アクセス手段を制御するメモリ制御手段とを備え、
前記メモリ制御手段は、前記第１アクセス手段によって最後に書き込みが行われた前記メモリ手段のアドレスと、前記第２アクセス手段によって次に読み出しが行われる前記メモリ手段のアドレスとの間隔が、一定間隔より小さいときには、前記第２アクセス手段による読み出しを行わせず、
前記間隔が一定間隔より大きいときには、前記第２アクセス手段による読み出しを行わせることを特徴とするメモリ制御装置。
【請求項２】
前記第１アクセス手段は、前記２次元的な領域に対し、水平方向のライン毎に連続的に書き込みを行う場合、前記一定間隔は、前記第１アクセス手段が垂直方向に１ライン進むために要するアドレス数であることを特徴とする請求項１に記載のメモリ制御装置。
【請求項３】
データを記憶するメモリ手段を備え、前記メモリ手段に対して行われるアクセスを制御するメモリ制御装置であって、
前記メモリ手段の２次元的な領域から連続的に読み出しを行う第１アクセス手段と、
前記第１アクセス手段によって読み出された、前記メモリ手段の２次元的な領域を分割した分割領域に書き込みを行う第２アクセス手段と、
前記第１および第２アクセス手段を制御するメモリ制御手段とを備え、
前記メモリ制御手段は、前記第１アクセス手段によって最後に読み出しが行われた前記メモリ手段のアドレスと、前記第２アクセス手段によって次に書き込みが行われる前記メモリ手段のアドレスとの間隔が、一定間隔より小さいときには、前記第２アクセス手段による書き込みを行わせず、
前記間隔が一定間隔より大きいときには、前記第２アクセス手段による書き込みを行わせることを特徴とするメモリ制御装置。
【請求項４】
前記第１アクセス手段は、前記２次元的な領域に対し、水平方向のライン毎に連続的に読み出しを行う場合、前記一定間隔は、前記第１アクセス手段が垂直方向に１ライン進むために要するアドレス数であることを特徴とする請求項３に記載のメモリ制御装置。
【請求項５】
データを記憶するメモリ手段を備え、前記メモリ手段に対して行われるアクセスを制御するメモリ制御装置であって、
前記メモリ手段の２次元的な領域を分割した第１分割領域に書き込みを行う第１アクセス手段と、
前記第１アクセス手段によって書き込まれた領域に、前記第１分割領域とは異なる分割をした第２分割領域から読み出しを行う第２アクセス手段と、
前記第１および第２アクセス手段を制御するメモリ制御手段とを備え、
前記メモリ制御手段は、前記第１アクセス手段によって次に書き込みが行われる前記メモリ手段のアドレスと、前記第２アクセス手段によって次に読み出しが行われる前記メモリ手段のアドレスとの間隔が、一定間隔より小さいときには、前記第２アクセス手段による読み出しを行わず、
前記間隔が一定間隔より大きいときには、前記第２アクセス手段による読み出しを行うことを特徴とするメモリ制御装置。
【請求項６】
前記一定間隔は、前記第１分割領域および前記第２分割領域のうち、前記垂直方向の長さが大きい方の領域を前記垂直方向に２つ進むために要するアドレス数であることを特徴とする請求項５に記載のメモリ制御装置。
【請求項７】
前記メモリ制御手段は、前記第１アクセス手段の処理が終了した後、前記間隔の大小による前記第２アクセス手段の制御を無効にするラッチ回路をさらに有することを特徴とする請求項１乃至５のいずれか１項に記載のメモリ制御装置。
【請求項８】
請求項１に記載のメモリ制御装置と、
入射された被写体光を画像データとして出力する撮像手段と、を有し、
前記第１アクセス手段は、前記撮像手段によって得られた画像データを前記メモリ手段に書き込み、前記第２アクセス手段は、前記書き込まれた画像データを信号処理するために前記メモリ手段から読み出すことを特徴とする撮像装置。
【請求項９】
請求項３に記載のメモリ制御装置と、
入射された被写体光を画像データとして出力する撮像手段と、
前記画像データを変倍する変倍手段と、
前記画像データを変調する変調手段と、を有し、
前記第１アクセス手段は、前記メモリ手段に書き込まれた前記画像データを、前記変調手段によって変調するために前記メモリ手段から読み出し、
前記第２アクセス手段は、前記変倍手段によって変倍処理が行われた画像データを前記メモリ手段に書き込むことを特徴とする撮像装置。
【請求項１０】
請求項５に記載のメモリ制御装置と、
入射された被写体光を画像データとして出力する撮像手段と、
前記画像データに信号処理を施す処理手段と、
前記画像データを変倍する変倍手段と、を有し、
前記第１アクセス手段は、前記処理手段によって信号処理が行われた画像データを前記メモリ手段に書き込み、
前記第２アクセス手段は、前記書き込まれた画像データを前記変倍手段によって変倍処理するために前記メモリ手段から読み出すことを特徴とする撮像装置。
【請求項１１】
データを記憶するメモリ手段に対して行われるアクセスを制御するメモリ制御方法であって、
前記メモリ手段の２次元的な領域に連続的に書き込みを行う第１アクセスステップと、
前記第１アクセスステップで書き込まれた、前記メモリ手段の２次元的な領域を分割した分割領域から読み出しを行う第２アクセスステップと、
前記第１アクセスステップで最後に書き込みが行われた前記メモリ手段のアドレスと、前記第２アクセスステップで次に読み出しが行われる前記メモリ手段のアドレスとの間隔が、一定間隔より小さいときには、前記第２アクセスステップでの読み出しを一時停止させ、
前記間隔が一定間隔より大きいときには、前記第２アクセスステップでの読み出しを続けさせるメモリ制御ステップとを有することを特徴とするメモリ制御方法。
【請求項１２】
データを記憶するメモリ手段に対して行われるアクセスを制御するメモリ制御方法であって、
前記メモリ手段の２次元的な領域に連続的に読み出しを行う第１アクセスステップと、
前記第１アクセスステップで読み出された、前記メモリ手段の２次元的な領域を分割した分割領域に書き込みを行う第２アクセスステップと、
前記メモリ制御ステップでは、前記第１アクセスステップで最後に読み出しが行われた前記メモリ手段のアドレスと、前記第２アクセスステップで次に書き込みが行われる前記メモリ手段のアドレスとの間隔が、一定間隔より小さいときには、前記第２アクセスステップでの書き込みを一時停止させ、
前記間隔が一定間隔より大きいときには、前記第２アクセスステップでの書き込みを続けさせるメモリ制御ステップとを有することを特徴とするメモリ制御方法。
【請求項１３】
データを記憶するメモリ手段に対して行われるアクセスを制御するメモリ制御方法であって、
前記メモリ手段の２次元的な領域を分割した第１分割領域に書き込みを行う第１アクセスステップと、
前記第１アクセスステップで書き込まれた領域に、前記第１分割領域とは異なる分割をした第２分割領域から読み出しを行う第２アクセスステップと、
前記第１アクセスステップで次に書き込みが行われる前記メモリ手段のアドレスと、前記第２アクセスステップで次に読み出しが行われる前記メモリ手段のアドレスとの間隔が、一定間隔より小さいときには、前記第２アクセスステップでの読み出しを一時停止させ、
前記間隔が一定間隔より大きいときには、前記第２アクセスステップでの読み出しを続けさせるメモリ制御ステップとを有することを特徴とするメモリ制御方法。
【手続補正２】
【補正対象書類名】明細書
【補正対象項目名】発明の名称
【補正方法】変更
【補正の内容】
【発明の名称】メモリ制御装置、撮像装置およびメモリ制御方法
【手続補正３】
【補正対象書類名】明細書
【補正対象項目名】０００１
【補正方法】変更
【補正の内容】
【０００１】
本発明は、データを記憶するメモリに対して行われるアクセスを制御するメモリ制御装置、撮像装置およびメモリ制御方法に関する。
【手続補正４】
【補正対象書類名】明細書
【補正対象項目名】０００７
【補正方法】変更
【補正の内容】
【０００７】
そこで、本発明は、データの分割処理を行う場合であっても、追い越し制御を適正に実行することができるメモリ制御装置、撮像装置およびメモリ制御方法を提供することを目的とする。
【手続補正５】
【補正対象書類名】明細書
【補正対象項目名】０００８
【補正方法】変更
【補正の内容】
【０００８】
上記目的を達成するために、本発明のメモリ制御装置は、データを記憶するメモリ手段を備え、前記メモリ手段に対して行われるアクセスを制御するメモリ制御装置であって、前記メモリ手段の２次元的な領域に連続的に書き込みを行う第１アクセス手段と、前記第１アクセス手段によって書き込まれた、前記メモリ手段の２次元的な領域を分割した分割領域から読み出しを行う第２アクセス手段と、前記第１および第２アクセス手段を制御するメモリ制御手段とを備え、前記メモリ制御手段は、前記第１アクセス手段によって最後に書き込みが行われた前記メモリ手段のアドレスと、前記第２アクセス手段によって次に読み出しが行われる前記メモリ手段のアドレスとの間隔が、一定間隔より小さいときには、前記第２アクセス手段による読み出しを行わせず、前記間隔が一定間隔より大きいときには、前記第２アクセス手段による読み出しを行わせることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明の請求項１に係るメモリ制御装置によれば、データの分割処理を行う場合であっても、追い越し制御を適正に実行することができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項７に係るメモリ制御装置によれば、前記第１アクセス手段の処理が終了すると、前記第２アクセス手段のアドレスが前記一定間隔以上進めなくなってしまい、処理が完了できなくなるのを防止することができる。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
請求項３に係るメモリ制御装置によれば、データを分割してメモリ手段に書き込みながら、書き込まれたデータを一括してメモリ手段から読み出して変調を行う際に有効である。
【手続補正１４】
【補正対象書類名】明細書
【補正対象項目名】００１７
【補正方法】変更
【補正の内容】
【００１７】
請求項５に係るメモリ制御装置によれば、データを分割してメモリ手段に書き込みながら、書き込まれたデータを分割してメモリ手段から読み出す際に有効である。
【手続補正１５】
【補正対象書類名】明細書
【補正対象項目名】００１８
【補正方法】変更
【補正の内容】
【００１８】
本発明のメモリ制御装置、撮像装置およびメモリ制御方法の実施の形態について図面を参照しながら説明する。本実施形態のメモリ制御装置は、撮影した画像データをメモリに記憶する撮像装置に適用される。